(57)【特許請求の範囲】
【請求項１】
水平な山面と谷面とが斜面で連続して台形波形断面形状をなすとともに長さ方向中央部が高く両端に向かって低くなるむくりのあるデッキプレートであり、かつデッキプレート長さ方向端部を押し潰すことにより傾斜部を経て形成された端部閉塞の梁載置部を山面と谷面との中間高さ位置に備えた中間エンドクローズドタイプのデッキプレートにおいて、
谷面側の傾斜部の下縁近傍における谷面部に、デッキプレート長さ方向をなす互いに平行な２本の切り込みを入れ、両切り込み間の部分を押し下げて又は押し上げて水抜き穴を形成したことを特徴とするデッキプレート。
【請求項２】
水平な山面と谷面とが斜面で連続して台形波形断面形状をなすとともに長さ方向中央部が高く両端に向かって低くなるむくりのあるデッキプレートであり、かつデッキプレート長さ方向端部を谷面側から押し潰すことにより傾斜部を経て形成された端部閉塞の梁載置部を山面の高さ位置に備えた逆エンドクローズドタイプのデッキプレートにおいて、
谷面側の傾斜部の下縁近傍における谷面部に、デッキプレート長さ方向をなす互いに平行な２本の切り込みを入れ、両切り込み間の部分を押し下げて又は押し上げて水抜き穴を形成したことを特徴とするデッキプレート。
【請求項３】
水平な山面と谷面とが斜面で連続して台形波形断面形状をなすとともに長さ方向中央部が高く両端に向かって低くなるむくりのあるデッキプレートであり、かつデッキプレート長さ方向端部を押し潰すことにより傾斜部を経て形成された端部閉塞の梁載置部を山面と谷面との中間高さ位置に備えた中間エンドクローズドタイプのデッキプレートにおいて、
谷面側の傾斜部の下縁近傍に水抜き穴をあけるとともに、前記水抜き穴は、傾斜部の下縁に切残し辺を有する態様で、傾斜部に舌片状の切り込みを入れ押し下げて形成したものであることを特徴とするデッキプレート。
【請求項４】
水平な山面と谷面とが斜面で連続して台形波形断面形状をなすとともに長さ方向中央部が高く両端に向かって低くなるむくりのあるデッキプレートであり、かつデッキプレート長さ方向端部を谷面側から押し潰すことにより傾斜部を経て形成された端部閉塞の梁載置部を山面の高さ位置に備えた逆エンドクローズドタイプのデッキプレートにおいて、
谷面側の傾斜部の下縁近傍に水抜き穴をあけるとともに、前記水抜き穴は、傾斜部の下縁より若干傾斜部上方に寄った位置に切残し辺を有する態様で、傾斜部に傾斜部下縁を含む舌片状の切り込みを入れ押し下げて又は押し上げて形成したものであることを特徴とするデッキプレート。
【発明の詳細な説明】
【技術分野】
【０００１】
この発明は、デッキプレート長さ方向端部を押し潰して山面と谷面との中間高さ位置に端部閉塞の梁載置部を形成したいわゆる中間エンドクローズド（以下エンクロという）タイプのデッキプレート、及び下側から押し潰して山面の高さ位置に端部閉塞の梁載置部を形成したいわゆる逆エンクロタイプのデッキプレートに関する。
【背景技術】
【０００２】
図２に示すように、水平な山面２と谷面３とが斜面４で連続して台形波形断面形状をなすデッキプレート１はコンクリート床を構築する際の捨て型枠として広く用いられている。
この種のデッキプレート１を、端部閉塞加工（エンクロ加工）をせずにそのまま型枠として用いる（図１２（イ）のデッキプレート１Ａ）と、端部開口（山面の下側部分）からコンクリートが流出するので、その端部開口を小口ふさぎ板で塞ぐか、あるいは図１２（ロ）〜（ニ）のようなエンクロデッキプレート、すなわち端部閉塞のデッキプレート１Ｂ、１Ｃ、１Ｄを用いる。
【０００３】
図１２（ロ）のデッキプレート１Ｂは、デッキプレートの長さ方向端部を上から（山面２が谷面３側にくるように）押し潰して端部閉塞の梁載置部５Ｂを形成したもので通常のエンクロデッキプレートである。
図１２（ハ）のデッキプレート１Ｃは、長さ方向端部を前記とは逆に下から（谷面３が山面２側にくるように）押し潰して端部閉塞の梁載置部５Ｃを形成したもので、いわゆる逆エンクロタイプのデッキプレートである。この逆エンクロタイプのデッキプレート１Ｃは、山面２の高さ位置が低くなるので、構築したコンクリート床の床面高さ位置を低くすることができ、建物の階高を節約できる等の長所がある。
図１２（ニ）のデッキプレート１Ｄは、長さ方向端部を押し潰して、山面２と谷面３との中間高さ位置に端部閉塞の梁載置部５Ｄを形成したもので、いわゆる中間エンクロタイプのデッキプレートである。この中間エンクロタイプのデッキプレート１Ｄは、階高節約という長所を備えつつ、梁１０上でのコンクリート厚みを確保できる。
また、図１３に示したデッキプレート１’のように、梁載置部５として、下面の平坦域のデッキプレート長さ方向の長さＬ１に対して上面の平坦域のデッキプレート長さ方向Ｌ２を短く形成した中間エンクロタイプのデッキプレートも考えられる。
【０００４】
上記の逆エンクロタイプ１Ｃ及び中間エンクロタイプ１’、１Ｄのデッキプレートの場合、谷面３が梁１０の上面より低くなっていわば船底のようになるので、デッキプレート敷設後に雨が降ると、雨がこの船底状の谷面３に溜まるという問題がある。また、コンクリートを打設した時に、コンクリートから滲み出た水がこの船底状の谷面３に溜まるという問題もある。
【０００５】
ところで、図１４は下部が中空で上部が閉じ合わされた断面形状の補強リブ６１をデッキプレート幅方向に複数形成して上面をフラットにしたフラットデッキプレート６０であるが、このフラットデッキプレート６０の場合、補強リブ６１内に水が溜まり易いことから、この補強リブ６１の底面に水抜き穴６１ａをあけることが行われている（特許文献１、２、３、４）。
特許文献１は、補強リブ底面の水抜き穴を、デッキプレート成形前のプレノッチ工程にて穴あけするというものである。また、特許文献１における従来例説明として、フラットデッキプレートのロール成形時に、水抜き穴を成形機内の回転刃によって等間隔に押し切り成形することが開示されている（段落番号[０００２]）。
特許文献２は、水抜き穴の位置を、端部閉塞部の内端縁位置から一定距離Ｌ以上離すことで、エンクロ加工時に水抜き穴を起点として補強リブに割れ、ネッキング等の欠陥が生じる恐れをなくそうというものである。なお、特許文献２でも、水抜き穴をプレノッチ工程であけることを前提にしている（段落番号[０００４]の第１０行〜１７行参照）。
特許文献３では、水抜き穴は単に図に示されているのみである。
以上のフラットデッキプレートにおける各水抜き穴は、いずれもデッキプレート長さ方向の中間部に設けられている。
また、フラットデッキプレートでない通常タイプでかつ端部閉塞していないデッキプレートの場合に水抜き穴を設けたものは、特許文献４の図９に記載されているが、この場合も水抜き穴はデッキプレート長さ方向の中間部に設けられている。
【特許文献１】特許第3007707号の図４
【特許文献２】特許第3020876号の図１
【特許文献３】実開昭64-14815の図２
【特許文献４】特開平7-102673の図９
【発明の開示】
【発明が解決しようとする課題】
【０００６】
水抜き穴の加工を、単にデッキプレート成形後に行うのでは、極めて煩雑で作業性が悪く、穴あけコストが高くつく。
また、水抜き穴の加工を、特許文献１のようにロール成形前のプレノッチ工程で行うと、確かに能率的であるが、ロール成形設備自体に穴あけ設備を設置するので、穴あけのための設備費が高くなる。また、ロール成形設備に穴あけ設備をセットする作業が煩雑であり、また穴あけ設備の調整も煩雑である。また、ロール成形前のプレノッチ工程であれば、打ち抜き穴をあけることになり、この場合打ち抜き片が金属屑となり、その処理が煩雑となる。
また、ロール成形機内の回転刃による押し切り成形の方法は、同じく能率的ではあるが、やはりロール成形機内に設置するので設備費が高くつく。また、ロール成形機に回転刃をセットし調整する作業が煩雑である。また、穴あけ位置を適宜変更するのは簡単ではない。
【０００７】
本発明は上記背景のもとになされたもので、穴あけ加工を能率的に行うことができかつ穴あけのための設備が安く済むとともに、水抜きが効果的に行われるデッキプレートを提供することを目的とする。
【課題を解決するための手段】
【０００８】
上記課題を解決する請求項１の発明は、水平な山面と谷面とが斜面で連続して台形波形断面形状をなすとともに長さ方向中央部が高く両端に向かって低くなるむくりのあるデッキプレートであり、かつデッキプレート長さ方向端部を押し潰すことにより傾斜部を経て形成された端部閉塞の梁載置部を山面と谷面との中間高さ位置に備えた中間エンドクローズドタイプのデッキプレートにおいて、
谷面側の傾斜部の下縁近傍における谷面部に、デッキプレート長さ方向をなす互いに平行な２本の切り込みを入れ、両切り込み間の部分を押し下げて又は押し上げて水抜き穴を形成したことを特徴とする。
【０００９】
請求項２の発明は、水平な山面と谷面とが斜面で連続して台形波形断面形状をなすとともに長さ方向中央部が高く両端に向かって低くなるむくりのあるデッキプレートであり、かつデッキプレート長さ方向端部を谷面側から押し潰すことにより傾斜部を経て形成された端部閉塞の梁載置部を山面の高さ位置に備えた逆エンドクローズドタイプのデッキプレートにおいて、
谷面側の傾斜部の下縁近傍における谷面部に、デッキプレート長さ方向をなす互いに平行な２本の切り込みを入れ、両切り込み間の部分を押し下げて又は押し上げて水抜き穴を形成したことを特徴とする。
【００１１】
請求項３の発明は、水平な山面と谷面とが斜面で連続して台形波形断面形状をなすとともに長さ方向中央部が高く両端に向かって低くなるむくりのあるデッキプレートであり、かつデッキプレート長さ方向端部を押し潰すことにより傾斜部を経て形成された端部閉塞の梁載置部を山面と谷面との中間高さ位置に備えた中間エンドクローズドタイプのデッキプレートにおいて、
谷面側の傾斜部の下縁近傍に水抜き穴をあけるとともに、前記水抜き穴は、傾斜部の下縁に切残し辺を有する態様で、傾斜部に舌片状の切り込みを入れ押し下げて形成したものであることを特徴とする。
請求項４の発明は、水平な山面と谷面とが斜面で連続して台形波形断面形状をなすとともに長さ方向中央部が高く両端に向かって低くなるむくりのあるデッキプレートであり、かつデッキプレート長さ方向端部を谷面側から押し潰すことにより傾斜部を経て形成された端部閉塞の梁載置部を山面の高さ位置に備えた逆エンドクローズドタイプのデッキプレートにおいて、
谷面側の傾斜部の下縁近傍に水抜き穴をあけるとともに、前記水抜き穴は、傾斜部の下縁より若干傾斜部上方に寄った位置に切残し辺を有する態様で、傾斜部に傾斜部下縁を含む舌片状の切り込みを入れ押し下げて又は押し上げて形成したものであることを特徴とする。
【発明の効果】
【００１２】
請求項１〜４の各発明のデッキプレートにおいて、デッキプレート敷設後に降った雨は谷面に沿って長さ方向端部に向かい、エンクロ加工部（端部閉塞加工部）の谷面側の傾斜部下縁近傍にある水抜き穴から排出される。また、コンクリート打設時にコンクリートから滲み出た水についても同様であり、谷面に沿って長さ方向端部に向かい水抜き穴から排出される。
【００１３】
水抜き穴の位置はエンクロ加工部の傾斜部下縁近傍なので、プレス金型を用いて行うエンクロ加工と同時に穴あけを行うことができる。したがって、穴あけ工程を別途必要とせず、きわめて作業性がよい。
また、エンクロ加工の金型を若干改造するだけで済むので、穴あけのための設備費が安く済む。
また、エンクロ加工の金型のセット・調整によって穴あけ可能な状態になるので、プレノッチ工程で行う方法やロール成形機内の回転刃による方法と比べて、穴あけ設備をセットする作業や調整する作業が極めて簡単になる。
また、エンクロ加工と同時に水抜き穴をあけるのであるから、引用文献２のようにプレノッチ工程であけた水抜き穴がエンクロ加工時に割れ、ネッキング等の欠陥の原因になる問題は生じない。
【００１４】
また、デッキプレートにむくりがあることと水抜き穴が長さ方向両端近傍にあることとが有効に作用して、両端近傍だけに水抜き穴を設けるだけでも、水抜きが効果的に行われる。
【００１５】
また、切り込み押し下げ又は押し上げて水抜き穴を形成することが可能であるから、金属屑となる打ち抜き片が発生せず、その処理が煩雑となる問題は生じない。
【発明を実施するための最良の形態】
【００１６】
以下、本発明のデッキプレートの実施例を、図１〜図１１参照して説明する。
【実施例１】
【００１７】
以下に述べる実施例のデッキプレート１は図２に示した断面形状であり、水平な山面２と谷面３とが斜面４で連続して台形波形断面形状をなし、また、山面２及び谷面３のそれぞれ中央に、山面２又は谷面３の剛性を高めるための溝２ａ又は凸条３ａを持ち、また、幅方向の両側縁に、隣接するデッキプレート１どうし互いに係合させるための係合部６、７を持つ。
また、図示例のデッキプレート１は、コンクリートと一体になって荷重を負担する合成床版用のデッキプレートであって、斜面４に段差部４ａを有し、この段差部４ａにより、打設後硬化したコンクリートとデッキプレート１とが一体化する。
【００１８】
このデッキプレート１は、いわゆる中間エンドクローズド（以下エンクロという）タイプのデッキプレートであって、デッキプレート長さ方向端部を押し潰すことにより傾斜部を経て形成された端部閉塞の梁載置部５を山面２と谷面３との中間高さ位置に有している。
なお、図示例の中間エンクロデッキプレート１は、図１（ロ）に示すように、梁載置部５の下面の平坦域のデッキプレート長さ方向の長さＬ１に対して、上面の平坦域のデッキプレート長さ方向の長さＬ２を短く形成したものである。この構造では、デッキプレート１を梁間に掛け渡した時に梁載置部の梁から外れるオフセット部分の断面係数が大となり、剛性が向上する。なお、この場合のデッキプレート端部の押し潰し加工は、上下の金型を共に移動させて中間高さ位置に押し潰す場合と、一方の金型を固定し他方の金型及びデッキプレートを移動させて中間高さ位置に押し潰す場合の両方が可能である。
【００１９】
本発明のデッキプレート１は、当該デッキプレート１に、図１（イ）に示すように長さ方向中央部が高く両端に向かって低くなるむくりｈがあるとともに、図１（ロ）に示すように、谷面側の傾斜部１６の下縁近傍に水抜き穴１１をあけている。この実施例では水抜き穴１１を、デッキプレート長さ方向片側について、図３に示すように幅方向中央の凸条３ａの両側の２箇所と、左右の係合部６、７の近傍各１箇所の合計４箇所に形成している。
図示例の水抜き穴１１は、図５（イ）、（ロ）に詳細を示すように、穴周の一部を切残し辺１１ａとして残して舌片状の切り込みを入れ押し下げて形成したものであり、さらに具体的には、傾斜部１６の下縁１６ａに切残し辺１１aを有する態様で、傾斜部１６に舌片状の切り込みを入れ押し下げて形成したものである。切り込みを入れ押し下げた舌片状部分を１１ｂで示す。
【００２０】
上記のデッキプレート１において、デッキプレート１の敷設後に雨が降ると、雨は谷面３に沿って長さ方向端部に向かい、エンクロ加工部の谷面側の傾斜部１６の下縁１６ａに臨んだ水抜き穴１１から排出される。
この実施例では、長さ方向中央部が高く両端に向かって低くなるむくりｈがあるので、むくりｈがあることと水抜き穴１１が長さ方向両端近傍（特に傾斜部１６の下縁１６ａに臨む位置）にあることとが有効に作用して、両端近傍だけに水抜き穴を設けるだけでも、水抜きが効果的に行われる。但し、デッキプレート長さ方向の中間部にも水抜き穴を設けることを除外しない。
なお、コンクリート打設時にコンクリートから滲み出た水についても同様であり、谷面３に沿って長さ方向端部に向かい水抜き穴１１から排出される。
【００２１】
また、水抜き穴１１の位置はエンクロ加工部の傾斜部１６の下縁１６ａの近傍なので、プレス金型を用いて行うエンクロ加工と同時に穴あけを行うことができる。したがって、穴あけ工程を別途必要とせず、きわめて作業性がよい。
また、エンクロ加工の金型を若干改造するだけで済むので、穴あけのための設備費が安く済む。
また、エンクロ加工の金型のセット・調整によって穴あけ可能な状態になるので、プレノッチ工程で行う方法やロール成形機内の回転刃による方法と比べて、穴あけ設備をセットする作業や調整する作業が極めて簡単になる。
また、エンクロ加工と同時に水抜き穴をあけるのであるから、引用文献２のようにプレノッチ工程であけた水抜き穴がエンクロ加工時に割れ、ネッキング等の欠陥の原因になる問題は生じない。
また、本発明における水抜き穴１１は打ち抜き穴でないので、金属屑となる打ち抜き片が発生せず、その処理が煩雑となる問題は生じない。
【実施例２】
【００２２】
図６に水抜き穴の他の実施例を示す。同図（イ）は水抜き穴部分の平面図、（ロ）は（イ）のＥ−Ｅ断面図である。この実施例の水抜き穴２１は、傾斜部１６の下縁１６ａより若干傾斜部上方に寄った位置に切残し辺２１ａを有する態様で、傾斜部１６に傾斜部下縁１６ａを含む舌片状の切り込みを入れ押し上げて形成したものである。切り込みを入れ押し上げた舌片状部分を２１ｂで示す。
なお、この実施例とは逆に、舌片状部分２１ｂを押し下げて形成した水抜き穴としてもよい。
【実施例３】
【００２３】
図７に水抜き穴のさらに他の実施例を示す。同図（イ）は水抜き穴部分の平面図、（ロ）は（イ）のＦ−Ｆ断面図である。この実施例の水抜き穴２１’は、図６の水抜き穴２１の舌片状部分２１ｂの先端部を折り返したものである。舌片状部分を２１ｂ’、先端部の折り返し部を２１ｃ’で示す。舌片状部分２１ｂ’の先端部２１ｃ’が折り返されていることで、水抜き穴２１'の開口面積が広くなる。
【実施例４】
【００２４】
図８に水抜き穴の他の参考例を示す。同図（イ）は水抜き穴部分の平面図、（ロ）は（イ）のＧ−Ｇ断面図である。この水抜き穴３１は、傾斜部１６の下縁１６ａの近傍における谷面部３にデッキプレート長さ方向の切残し辺３１ａを有する態様で、谷面部３に舌片状の切り込みを入れ押し上げて形成したものである。切り込みを入れ押し上げた舌片状部分を３１ｂで示す。
この参考例では水抜き穴３１が谷面（水平部）３にあるので、穴あけを行い易い。
なお、この参考例とは逆に、舌片状部分３１ｂを押し下げて形成した水抜き穴としてもよい。
【実施例５】
【００２５】
図９に水抜き穴の他の参考例を示す。同図（イ）は水抜き穴部分の平面図、（ロ）は（イ）のＨ−Ｈ断面図である。この水抜き穴４１は、傾斜部１６の下縁１６ａに切残し辺４１ａを有する態様で、谷面部３に舌片状の切り込みを入れ押し下げて形成したものである。切り込みを入れ押し下げた舌片状部分を４１ｂで示す。
この参考例でも水抜き穴４１が谷面（水平部）３にあるので、穴あけを行い易い。
なお、この参考例とは逆に、舌片状部分４１ｂを押し上げて形成した水抜き穴としてもよい。
【実施例６】
【００２６】
図１０に水抜き穴のさらに他の実施例を示す。同図（イ）は水抜き穴部分の平面図、（ロ）は（イ）のＩ−Ｉ断面図である。この実施例の水抜き穴５１は、傾斜部１６の下縁近傍における谷面部３に、デッキプレート長さ方向をなす互いに平行な２本の切り込み５１ｃを入れ、両切り込み５１ｃ間の部分を押し上げて形成したものである。両切り込み５１ｃ間の押し上げた部分を５１ｄで示す。この場合、押し上げ部分５１ｄの両側部に水平方向の開口すなわち水抜き穴５１が形成される。
この実施例でも水抜き穴５１が谷面（水平部）３にあるので、穴あけを行い易い。
なお、この実施例とは逆に、両切り込み５１ｃ間の部分５１ｄを押し下げてその両側に水抜き穴を形成することもできる。
【実施例７】
【００２７】
上述の実施例のデッキプレート１は上面側の平坦域の長さＬ２を下面側の平坦域の長さＬ１より短くした中間エンクロデッキプレートであるが、上下面の平坦域が同じ長さの一般的な中間エンクロデッキプレート（図１２（ニ）に示したデッキプレート１Ｄのタイプ）にも当然適用することができる。
【実施例８】
【００２８】
また、本発明はいわゆる逆エンクロタイプのデッキプレートにも適用できる。図１１に逆エンクロタイプのデッキプレート１Ｃ（図１２（ハ）のものと同じ）に適用した場合を示す。谷面３側が山面２の高さ位置まで押し潰された逆エンクロ形状であり、傾斜部６６はやや急角度になっているが、水抜き穴６１は、図１（ロ）、図５の実施例と概ね同様である。すなわち、この実施例の水抜き穴６１は、傾斜部６６の下縁６６ａに切残し辺６１ａを有する態様で、傾斜部６６に舌片状の切り込みを入れ押し下げて形成したものである。
水抜き穴６１により水抜きが行われる作用は、中間エンクロタイプの場合と同じである。
【実施例９】
【００２９】
上述の実施例の水抜き穴１１、２１、２１’、６１は、穴周の一部を切残し辺として残して舌片状の切り込みを入れ押し下げて又は押し上げて形成した切り押し穴であるが、その穴の形状は任意であり、種々変形可能である。例えば、舌片状に切り込みを入れる輪郭は円形や楕円等の曲線であってもよい。また、切残し辺は通常は直線状にするが、短く残す場合は切残し辺を曲線とすることも可能である。
【図面の簡単な説明】
【００３０】
【図１】（イ）は本発明の一実施例のデッキプレートを梁間に掛け渡した状態で示した側面図、（ロ）は（イ）の要部拡大図である。
【図２】図１（イ）の拡大したＡ−Ａ断面図（但し厚みは省略）である。
【図３】図１（イ）の拡大したＢ−Ｂ矢視図（但し梁は不図示）である。
【図４】図１におけるデッキプレート端部近傍の斜視図である。
【図５】上記デッキプレートにおける水抜き穴を示すもので、（イ）は水抜き穴部分の平面図、（ロ）は（イ）のＤ−Ｄ断面図（図１（ロ）のＣ部拡大図）である。
【図６】水抜き穴の他の実施例を示すもので、（イ）は水抜き穴部分の平面図、（ロ）は（イ）のＥ−Ｅ断面図である。
【図７】水抜き穴のさらに他の実施例を示すもので、（イ）は水抜き穴部分の平面図、（ロ）は（イ）のＦ−Ｆ断面図である。
【図８】水抜き穴の参考例を示すもので、（イ）は水抜き穴部分の平面図、（ロ）は（イ）のＧ−Ｇ断面図である。
【図９】水抜き穴の他の参考例を示すもので、（イ）は水抜き穴部分の平面図、（ロ）は（イ）のＨ−Ｈ断面図である。
【図１０】水抜き穴のさらに他の実施例を示すもので、（イ）は水抜き穴部分の平面図、（ロ）は（イ）のＩ−Ｉ断面図である。
【図１１】逆エンクロタイプのデッキプレートに適用した実施例を示すもので、図１（ロ）に相当する断面図である。
【図１２】エンクロのタイプのデッキプレートについて一般的に説明するもので、（イ）は端部閉塞していないデッキプレート、（ロ）は通常エンクロタイプのデッキプレート、（ハ）は逆エンクロタイプのデッキプレート、（ニ）は中間エンクロタイプのデッキプレートである。
【図１３】中間エンクロタイプのデッキプレートの他の例を示す図である。
【図１４】従来例としてのフラットデッキプレートの場合の水抜き穴を説明する図である。
【符号の説明】
【００３１】
１、１Ｃ  デッキプレート
２  山面
３  谷面
４  斜面
５  梁載置部
６、７  係合部
１０  梁
１１、２１、２１’、３１、４１、５１、６１  水抜き穴
１１ａ、２１ａ、２１ａ’、３１ａ、４１ａ、６１ａ  切残し辺
１１ｂ、２１ｂ、２１ｂ’、３１ｂ、４１ｂ、６１ｂ  舌片状部
５１ｃ  切り込み
５１ｄ  両切り込み間の部分
２１ｃ’  折り返し部
１６、６６  谷面側の傾斜部
１６ａ、６６ａ  傾斜部の下縁
ｈ  むくり
【図１】
0004711295.tif 000002
【図２】
0004711295.tif 000003
【図３】
0004711295.tif 000004
【図４】
0004711295.tif 000005
【図５】
0004711295.tif 000006
【図６】
0004711295.tif 000007
【図７】
0004711295.tif 000008
【図８】
0004711295.tif 000009
【図９】
0004711295.tif 000010
【図１０】
0004711295.tif 000011
【図１１】
0004711295.tif 000012
【図１２】
0004711295.tif 000013
【図１３】
0004711295.tif 000014
【図１４】
0004711295.tif 000015